(57)【要約】【課題】  繰り出す札板を前方から簡単に取り外しし易く、また取付けし易くして、札板の繰り出しが容易に行える位牌の提供。【解決手段】  位牌は、第１の永久磁石体又は磁性体が設けられた札板と、札板を収納する収納部を有する箱状本体と、を備え、収納部は前方に開放する開口部を有し、収納部の後面を規定する前記箱状本体の後壁には、第１の永久磁石体又は磁性体に吸着可能な第２の永久磁石体または磁性体が設けられ、第１の永久磁石体又は磁性体と第２の永久磁石体または磁性体との間の磁力によって、札板は前記収納部内の所定位置において箱状本体の前記後面に取り付けられ、第１の永久磁石体又は磁性体に吸着可能な他の永久磁石体又は磁性体が設けられた他の札板を、磁力によって札板の前面に重ねて保持することが可能であり、札板及び他の札板は、前記収納部に前記開口部を介して出し入れされることを特徴とする。【選択図】図１
2017080361.tif 000002
【特許請求の範囲】
【請求項１】
第１の永久磁石体又は磁性体が設けられた札板と、前記札板を収納する収納部を有する箱状本体と、を備え、
前記収納部は前方に開放する開口部を有し、前記収納部の後面を規定する前記箱状本体の後壁には、前記第１の永久磁石体又は磁性体に吸着可能な第２の永久磁石体または磁性体が設けられ、
前記第１の永久磁石体又は磁性体と前記第２の永久磁石体または磁性体との間の磁力によって、前記札板は前記収納部の前記後面に取り付けられ、
前記第１の永久磁石体又は磁性体に吸着可能な他の永久磁石体又は磁性体が設けられた他の札板を、磁力によって、前記札板の前面に重ねて保持することが可能であり、
前記札板及び前記他の札板は、前記収納部に前記開口部を介して出し入れされることを特徴とする位牌。
【請求項２】
前記札板が前記収納部の前記後面に取り付けられた状態において、前記札板の上端面及び下端面と前記収納部の上面及び下面との間には隙間が形成されることを特徴とする請求項１に記載の位牌。
【請求項３】
前記第１の永久磁石体又は磁性体は、前記札板の裏面に設けられていることを特徴とする請求項１乃至請求項２に記載の位牌。
【請求項４】
一対の前記第１の永久磁石体又は磁性体と一対の前記他の永久磁石体又は磁性体が、それぞれ前記札板と他の札体に上下に間隔をおいて設けられていることを特徴とする請求項１乃至請求項３に記載の位牌。
【発明の詳細な説明】
【技術分野】
【０００１】  本発明は、札板を内部の安置できる位牌であり、複数の札板を内部に安置できると共に、札板を前方に繰り出しできる箱型の回出（くりだし）位牌に関する。
【背景技術】
【０００２】  従来から複数の札板が内部に収納可能な繰り出し位牌は種々提案されている。この繰り出し位牌は、仏壇内に位牌を多く並べることができない事情がある場合に、戒名や俗名等が記された札板と先祖代々と記した札板等を複数枚収納し、必要な札板を前面に繰り出して位置させて祀ることができるものである。【０００３】  特許文献１には、内部に複数の中板（札板）を収納する収納部の裏面に鉄製の蓋体が着脱自在なる位牌が開示されており、この蓋体を取り外して、収納されている中板を後方から取り出すことができるものである。【０００４】  また、特許文献２には、複数の札板を内部に収納でき、窓部を有する前方部材を後方部材から取り外して、後方部材の札板収納部に収納されている札板を前方から取り出すことができる繰り出し位牌である。
【先行技術文献】
【特許文献】
【０００５】
【特許文献１】  実用新案登録第３１７７９１０号公報
【特許文献２】  実用新案登録第３１８９０９６号公報
【発明の概要】
【発明が解決しようとする課題】
【０００６】  しかしながら、特許文献１や特許文献２のような従来の位牌では、収容されている札板を前方位置に移動させる（繰り出し）には、蓋体や前方部材を一旦取り外して、収納されている札板の取り出して行うことになり、面倒であり、位牌を置いた状態のまま札板自体を取り外しすることが容易でないものであった。【０００７】  また、これらの従来の位牌は、仏壇の中に安置するものであり、位牌そのものであって安置する場所を選ぶことになるものであった。【０００８】  本発明は、前方から簡単に札板を取り外しし易く、札板の繰り出しが容易に行える位牌の提供を目的とする。
【課題を解決するための手段】
【０００９】  本発明の請求項１に記載の位牌は、第１の永久磁石体又は磁性体が設けられた札板と、前記札板を収納する収納部を有する箱状本体と、を備え、前記収納部は前方に開放する開口部を有し、前記収納部の後面を規定する前記箱状本体の後壁には、前記第１の永久磁石体又は磁性体に吸着可能な第２の永久磁石体または磁性体が設けられ、前記第１の永久磁石体又は磁性体と前記第２の永久磁石体または磁性体との間の磁力によって、前記札板は前記収納部内の所定位置において前記箱状本体の前記後面に取り付けられ、前記第１の永久磁石体又は磁性体に吸着可能な他の永久磁石体又は磁性体が設けられた他の札板を、磁力によって、前記札板の前面に重ねて保持することが可能であり、前記札板及び前記他の札板は、前記収納部に前記開口部を介して出し入れされることを特徴とする。【００１０】  本発明の請求項２に記載の位牌は、前記札板が前記収納部の前記後面に取り付けられた状態において、前記札板の上端面及び下端面と前記収納部の上面及び下面との間には隙間が形成されることを特徴とする【００１１】  本発明の請求項３に記載の位牌は、前記第１の永久磁石体又は磁性体は、前記札板の裏面に設けられていることを特徴とする。【００１２】  本発明の請求項４に記載の位牌は、前記第１の永久磁石体又は磁性体と前記他の永久磁石体又は磁性体は、前記札板と他の札体の上下に間隔をおいて設けられていることを特徴とする。
【発明の効果】
【００１３】  本発明の請求項１に係る位牌によれば、御堂に見立てて小さな仏壇として使うことができるものであり、磁力により収納部に収納保持されている札板を前方から簡単に取り付け取り外すことができ、また、複数枚収納されている札板の前方への繰り出しが容易に行えるものである。そして、また位牌としても使用できるものである。【００１４】  本発明の請求項２に係る位牌によれば、磁力により保持されている札板の上下の隙間があることで、札板を上、下方向に移動させること可能となり、前方より札板を簡単に取り外しする際に札板を上方向か下方向のどちらかにずらすだけで簡単に札板を取り外すことが可能なものであり、取付けることも容易に行うことができるものである。また、札板の上に他の札板を複数重ねて保持した場合でも、簡単に札板を繰り出し入れ換えが可能となるものであり、回出（くりだし）位牌としても使用できるものである。【００１５】  本発明の請求項３に係る位牌によれば、第１の永久磁石体又は磁性体が札板の裏面に形成されているために、札板の前面に永久磁石体又は磁性体がないため、塗装する場合には塗り等が施し易く、また、白木の場合には永久磁石体表面が見えず体裁が良いものである。【００１６】  本発明の請求項４に係る位牌によれば、第１の永久磁石体又は磁性体と前記他の永久磁石体又は磁性体が上下に間隔をおいて設けられているので、札板の上に他の札板を複数重ねて保持した場合に、札板同士が幅方向や縦方向にずれず、体裁よく整えられるものであり、見栄えがよいものである。
【図面の簡単な説明】
【００１７】
【図１】  本発明の実施形態に係る位牌の斜視図。
【図２】  図１の位牌が備える箱状本体の正面図。
【図３】  図１のＩＩＩ―ＩＩＩ線断面図。
【図４】  図１の位牌が備える札板の正面図。
【図５】  図４に示す札板の断面図。
【図６】  本発明の実施形態に係る位牌において、複数枚の札板を収容保持させた状態を示す側面断面図。
【図７】  本発明の他の実施形態に係る札板の正面図。
【発明を実施するための形態】
【００１８】  以下、添付図面を参照して、本発明の実施形態に係る位牌について説明する。図１〜５に示されるように、位牌Ａは、箱状本体１と、箱状本体１の収納部１０に収納される札板２と、を備える。収納部１０は前方に開放する開口部１１を有し、札板２は開口部１１を介して収納部１０に出し入れされる。箱状本体１の後壁１２の内面１２ａは、収納部１０の後面を規定し、その上方部位に形成された凹部１３に永久磁石体Ｍ２（第２の永久磁石体）が設けられている。この永久磁石体Ｍ２は磁性体で形成されていても良いものである。また、収納部１０の底部には漆黒に調えた段板１４が収納されている。札板２は、短冊状であって、その表面２１には戒名が印され、その裏面２２の上方部位に形成された凹部２３には永久磁石体Ｍ１（第１の永久磁石体）が設けられている。
【００１９】  かかる構成において、図３に示すように、開口部１１を介して札板２を収納部１０に挿入し、前後方向において札板２の永久磁石体Ｍ１が箱状本体１の永久磁石体Ｍ２に対向するように札板２の裏面２２を箱状本体１の後壁１２に当接させると、永久磁石体Ｍ１と永久磁石体Ｍ２との間の磁力によって、札板２が後壁１２に対して固定される。これにより、札板２は、その表面２１が開口部１１を介して外部から視認可能な状態で、収容部１０内の所定位置に保持される。このとき、札板２が傾いて取り付けられても、札板２はその上方部位に設けられた永久磁石体Ｍ１により後壁１２に取り付けられているので、この永久磁石体Ｍ１を支点として札体２の下方部位を周方向にずらせば、容易に札体２の向きを真っ直ぐに調整することができる。そして、永久磁石体Ｍ２は後壁１２の上方部位にのみだけに設けられていること、すなわち下方部位に設けていないことにより、札板２が後壁１２に上方で保持されることになり、札板２の取り付けが容易となるもので、更に取り付け時の誤差による不都合が生じないものである。
【００２０】  また、図６に示す様に、同一の構成を有する複数の札板２を重ね合わせて収納部１０に収納することもできる。即ち、後方に位置する（例えば、箱状本体１の後壁１２に当接して固定された）札板２の永久磁石体Ｍ１と、前方に位置する他の札板２の永久磁石体Ｍ１（他の永久磁石体）との間の磁力によって、後方に位置する札板２の表面２１に前方に位置する他の札板２の裏面２３を当接させた状態で双方の札板２，２同士を固定させることができる。この場合には、最前方に位置する札板２の表面２１が開口部１１を介して外部から視認可能となる。
【００２１】  そして、このように１又は複数の札板２を収納部１０に収納させた状態では、札板２の永久磁石体Ｍ１と箱状本体１の永久磁石体Ｍ２は、前後方向に一列に配列された状態になる。なお、図６では４枚の札板２が重ねて保持されているが、箱状本体１の収納部１０の奥行が深ければ更に多数の札板２を重ねることが可能となる。この際に、札板２を同一の大きさにしておけば、重ねられた複数の札板２を一枚の札板のように見せることができ、見栄えが良くなる。
【００２２】  図２、３に示されるように、収納部１０の所定位置に保持された状態において、札板２の周面（上端面２４、下端面２５、及び一対の側端面２６，２７）は、箱状本体１及び段板１４と非接触とされ、札板２の周面と収納部１０の周面（収納部１０の上面、下面、及び左右側面）との間には隙間１００が形成される。
【００２３】  よって、札板２を箱状本体１から取り出す際には、例えば札板２の上端面２４と収納部１０の上面の間の隙間に指先を入れて札板２を下方に押せば、永久磁石体Ｍ１と永久磁石体Ｍ２の位置関係（前後方向における配列）、あるいは札板２間の永久磁石体Ｍ１の位置関係を上下方向にずらすことができ、これにより永久磁石体Ｍ１と永久磁石体Ｍ２又は他の永久磁石体Ｍ１との間の磁性による吸着力を解除することができる。よって、このように磁性による吸着力が解除された状態で札板２を前方に引き寄せれば、容易に札板２を箱状本体１から取り外すことが可能となる。そして、図２、図３に示すように、収納部１０の開口部１１の横幅寸法を、札板２の横幅寸法よりも大きくしておけば、札板２の取り出し、取付けがより容易となるものである。なお、札板２の上端面２４と収納部１０の上面の間の隙間は、指先が入る程度であればよく、札板２の下端面２５と収納部１０の下面（段板１４の上面）との間の隙間は、永久磁石体Ｍ１又はＭ２の上下幅以上であればよいものである。
【００２４】  永久磁石体Ｍ１、Ｍ２の前後方向における厚さは、凹部２３、１３の前後方向における深さよりも小さく設定され、凹部２３、１３に収容された永久磁石体Ｍ１、Ｍ２が札板２の裏面２２よりも後方又は後壁１２の内面１２ａよりも前方に突出しないようにされている。よって、札板２を後壁１２に固定させた際に、札板２の裏面２２を後壁１２の内面１２ａに密着させることができ、安定性及び見栄えを良くできる。複数の札板２同士を重ね合わせる際も同様である。また、札板２自体を塗装する場合も、裏面２２から永久磁石Ｍ１が突出していないので、表面を凹凸なしに仕上げることができ、札板２を後壁１２に固定させた際や札板２を他の札体２の前面に重ね合わせた際に、札板２の後面２２を後壁１２の内面１２ａや他の札体２の前面に密着させることができ、安定性及び見栄えを良くできる。
【００２５】  位牌Ａにおいて、永久磁石体Ｍ１、Ｍ２は磁性体であってもよいものであり、札体２を収納部１０の後壁１２に固定保持する場合や札体２同士を重ね合わせる場合において、永久磁石体Ｍ１、Ｍ２、磁性体の間における磁力によって、お互いが吸着可能な状態になるように選択されるものであり、例えば、永久磁石体と磁性体が交互に配置されるようにして磁力により吸着可能な状態になるようにしてもよく、また、すべて永久磁石によって形成されてもよいものであり、この場合は保持力が高まるものである。
【００２６】  箱状本体１は天然木の素材にウレタン塗装したものであり、札板２は、黒等の塗り仕上げや金箔仕上げであり、塗装なしの白木であっても良いものである。永久磁石体Ｍ１、Ｍ２は、ネオジム磁石であれば、お互いの保持力がよく、複数の札板２を重ね合わせた際の保持力を強力にできる。
【００２７】  また、札板２の表面２１に戒名に代えて「南無阿弥陀仏」等の名号を印せば、位牌Ａを仏壇として使用することができる。このとき、段板１４は簡易須弥壇として機能し、位牌Ａを簡易な御堂に見立てることができる。即ち、先祖代々の慰霊を手元で行いたい人にとって、手狭であっても置く場所を選ばずどこにでも置けて、仏壇として使用できるものである。
【００２８】  このように、位牌Ａは、複数の札板２（位牌）を一つにまとめることができる回出位牌として使用できるともに、簡易な仏壇として使用できるものである。
【００２９】  以上、本発明の実施形態に係る位牌について添付の図面を参照して説明したが、本発明はかかる実施形態に限定されず、本発明の範囲を逸脱することなく種々の変形乃至修正が可能である。
【００３０】  例えば、図７に示すように、札板２の裏面２２の上下位置に一対の永久磁石体Ｍ１、Ｍ１を２個設けても良く、また永久磁石体Ｍ１を近接して設ければ磁力が強固になり保持力が高まるものであり、そして永久磁石体Ｍ１を複数設ける場合には字を彫る場合を考慮して上下に間隔をあけて設けることが好ましいものである。上下位置に一対の永久磁石体Ｍ１、Ｍ１を設ける場合には、札板２を後壁１２に固定する際や札板２を他の札体２の前面に重ね合わせる際に、上下の永久磁石体同士により上下や左右方向の位置が定まり、位置ずれなしに取付けることができるものであり、保持固定された状態でも、札板同士が幅方向や縦方向にずれず、体裁よく整えられるものであり、見栄えがよいものである。そして、この場合においても、永久磁石体Ｍ２は後壁１２の上方部位にのみだけに設けられていることにより、重ね合わされた札板２の集合体が後壁１２に上方で保持されることになり、取り付けが容易となるものであり、更に取り付け時の誤差による不都合が生じないものである。
【００３１】  なお、札板２の裏面２２に字等を彫る場合においても、上下の永久磁石体Ｍ１間に彫ることができ、支障がないものである。また、札体２の下面に緩衝材を設けてもよく、この場合に、収納部１０内に札板２が落ちても傷がつかないものである。
【符号の説明】
【００３２】Ａ    位牌
１    箱状本体
１０  収納部
１１  開口部
１２  後壁
１３  凹部
１４  段板
２    札板
２１  表面
２２  裏面
２３  凹部
１００  隙間
Ｍ１  永久磁石体
Ｍ２  永久磁石体
【図１】
2017080361.tif 000003
【図２】
2017080361.tif 000004
【図３】
2017080361.tif 000005
【図４】
2017080361.tif 000006
【図５】
2017080361.tif 000007
【図６】
2017080361.tif 000008
【図７】
2017080361.tif 000009